(57)【要約】【課題】切断作業時に、ニッパーの刃先が触れて切断対象物以外のものが傷つくのを防止するとともに、切断対象物のみを正確にかつ効率よく切断可能にするニッパー用カバーを提供する。【解決手段】ニッパー１の刃先２ａを被覆するニッパー用カバー３であって、このニッパー用カバー３は、ニッパー１の対をなす刃部２のそれぞれの背面を被覆しながら刃部２に一体に又は着脱可能に設けられる断面コ字形の刃先２ａと、刃部２の刃先２ａ側のカバー本体３ａに延設される突起部３ｂとを有し、ニッパー用カバー３を備えた状態において、一対の刃部２が閉じる直前に、一対の刃部２と一対の突起部３ｂとからなる環構造が形成されることを特徴とするニッパー用カバー３による。【選択図】図１
2018064663.tif 000002
【特許請求の範囲】
【請求項１】
ニッパーの刃先を被覆するニッパー用カバーであって、
このニッパー用カバーは、前記ニッパーの対をなす刃部のそれぞれの背面を被覆しながら前記刃部に一体に又は着脱可能に設けられる断面コ字形のカバー本体と、前記刃部の刃先側の前記カバー本体に延設される突起部とを有し、
前記ニッパー用カバーを備えた状態において、一対の前記刃部が閉じる直前に、一対の前記刃部と一対の前記突起部とからなる環構造が形成されることを特徴とするニッパー用カバー。
【請求項２】
前記環構造の形成時に、一対の前記突起部は嵌合する又は重なり合うことを特徴とする請求項１記載のニッパー用カバー。
【請求項３】
請求項１又は請求項２に記載のニッパー用カバーを備えていることを特徴とするニッパー。
【請求項４】
前記ニッパーは、前記刃部の基部に光源を備えることを特徴とする請求項３記載のニッパー。
【発明の詳細な説明】
【技術分野】
【０００１】
本発明は、ニッパーによる切断作業時に、ニッパーの刃先が触れて切断対象物以外のものが傷つくのを防止することができるニッパー用カバーおよびそれを備えてなるニッパーに関する。
【背景技術】
【０００２】
従来、ニッパーで結束バンド等を切断する場合、ニッパーの鋭利な刃先が周囲の物体に触れることで切断対象物以外のものを傷つけてしまう恐れがあった。例えば、ニッパーの刃先により電線等の絶縁カバーが傷ついてしまった場合は、そこから漏電が起こる恐れもあり、このような事態を回避するための工夫が必要とされていた。
本発明と同じ目的を有する先行技術文献は現時点では発見されていないが、関連する技術分野の先行技術としては下記のようなものが知られている。
【０００３】
特許文献１には「ニッパやペンチ等の刃先に取り付けるカバー」という名称で、ニッパの刃部に装着されるカバーに関する考案が開示されている。
特許文献１に開示される考案によれば、ニッパーによる切断時及び切断後に、そのカバーで切断対象物を挟持しておくことができる。
【０００４】
特許文献２には「ニッパ用カバー」という名称でニッパの切離運動を妨げることなく、切り屑を受け止めることができるニッパ用カバーに関する考案が開示されている。
特許文献２に開示される考案であるニッパカバーは、熱収縮性の良好な合成樹脂膜等を主材として、中央部より前端にかけて逆円錐形状に筒形のニッパカバーを一体に成型し、次ぎにニッパカバーの中央部に小孔を表裏対照的に穿ち、上辺中央部の小孔を結ぶ縦切れ目を表裏面相対的に切込み、上辺を接着してふくろ形状となしたことを特徴とするものである。
上記構成の特許文献２に開示される考案によれば、ニッパーの使用時に生じる切除くずを切刃の裏面側の空洞内で、ニッパカバーにより塞がれる領域内に収容しておくことができる。
【０００５】
特許文献３には「切断工具の保護装置」という名称で、配電工事等において用いられる電線等の被切断物を、鋏状刃によって切断を行う切断工具に装着される保護装置に関する発明が開示されている。
特許文献３に開示される発明である切断工具の保護装置は、文献中に記載される符号をそのまま用いて説明すると、切断工具ＣＴの鋏状刃の各々の刃部に外装される一対のシャッタ１５Ａ，１５Ｂからなる保護手段と、前記保護手段を、前記切断工具ＣＴの鋏状刃の開閉方向と同方向に且つ前記鋏状刃に対して回動可能に軸支する支持軸１７ａ，１７ｂ，１７ｃ，１７ｄと、前記保護手段を常に閉方向に付勢する付勢手段１８ａ，１８ｂ，１８ｃ，１８ｄと、からなることを特徴とするものである。
上記構成の特許文献３に開示される発明によれば、切断工具の刃に保護カバーを備えることで切断工具の刃で作業者が怪我をする、あるいは、配線済の電線等が破損するのを防止することができる。
【先行技術文献】
【特許文献】
【０００６】
【特許文献１】実開平６-５２７７０号公報
【特許文献２】実願昭５７−８７１２６号（実開昭５８−１８８７７０号）のマイクロフィルム
【特許文献３】特開平１１-３１３９９２号公報
【発明の概要】
【発明が解決しようとする課題】
【０００７】
上述の特許文献１，２にはニッパー用カバーが開示されているものの、ニッパーの刃先の周辺において、切断対象物である例えばコードとそれ以外の例えばコードを選り分けた状態で保持しておくことはできなかった。
【０００８】
また、特許文献３に開示される発明の場合も、ニッパーの刃先の周辺において、切断対象物である例えばコードとそれ以外の例えばコードを選り分けた状態で保持しておくことはできなかった。
【０００９】
本発明はかかる従来の事情に対処してなされたものであり、その目的は、ニッパーの刃部に一体に又は着脱可能に装着することができ、ニッパーによる切断作業時に、ニッパーの刃先が触れて周囲の物体が損傷するのを好適に防止でき、切断対象物をそれ以外のものから分離（又は隔離）した状態で保持しておくことができるニッパー用カバー、および、このようなカバーを備えてなるニッパーを提供することにある。
【課題を解決するための手段】
【００１０】
上記課題を解決するため、第１の発明は、ニッパーの刃先を被覆するニッパー用カバーであって、このニッパー用カバーは、ニッパーの対をなす刃部のそれぞれの背面を被覆しながら刃部に一体に又は着脱可能に設けられる断面コ字形のカバー本体と、刃部の刃先側のカバー本体に延設される突起部とを有し、ニッパー用カバーを備えた状態において、一対の刃部が閉じる直前に、一対の刃部と一対の突起部とからなる環構造が形成されることを特徴とするものである。
上記構成の第１の発明において、カバー本体はニッパーの対をなす刃部の先端を被覆して、この部分が周囲の部材に直接触れるのを妨げるという作用を有する。
また、突起部は、一対の刃部が閉じる直前の状態において、一対の刃部とこの突起部が連なったものからなる環構造を形成させるという作用を有する。また、このような環構造は、その中空部内に切断対象物を収容した際に、この切断対象物と環構造の外に配される切断する必要のない物体とを一時的に分離（又は隔離）するという作用を有する。
【００１１】
第２の発明であるニッパー用カバーは、第１の発明であるニッパー用カバーであって、環構造の形成時に、一対の突起部は嵌合する又は重なり合うことを特徴とするものである。
上記構成の第１の発明は、上述の第１の発明による作用と同じ作用に加えて、環構造の形成時に、一対の突起部は嵌合する又は重なり合うことで、ニッパーの把持部の操作時に、挟持力のわずかな変動で突起部からなる環構造が解消されて開いてしまうのを妨げるという作用を有する。
つまり、第２の発明の場合は、環構造が形成された状態から、環構造が解消されてニッパーの刃先が解放された状態になるまでの間に「遊び」がある状態になる。
これにより、ニッパーの把持部の操作ミスにより、意図せず突起部による環構造が解消されてしまい、環構造内に選り分けておいた切断対象物（切断予定物体）が意図せず、ニッパーの刃部の外に出てしまうのを妨げるという作用を有する。
【００１２】
第３の発明であるニッパーは、上述の第１又は第２の発明であるニッパー用カバーを備えていることを特徴とするものである。
第３の発明は、上述の第１又は第２の発明を備えたニッパーであり、その作用については、上述の第１又は第２の発明による作用と同じである。
【００１３】
第４の発明であるニッパーは、上述の第３の発明であるニッパーであって、刃部の基部に光源を備えることを特徴とするものである。
上記構成の第４の発明は、上述の第３の発明による作用と同じ作用を有する。また第４の発明において、光源はニッパーの刃部の周囲を明るく照らすという作用を有する。
【発明の効果】
【００１４】
上述のような第１の発明によれば、ニッパーを用いる作業時に、対をなす刃部の刃先が周囲の物体に触れることによる切断対象物の損傷が起こるのを好適に防止することができる。
また、第１の発明によれば、ニッパーで切断しようとしている切断対象物が、切断する必要のない物体の中に混ざり込んでいる場合に、カバー本体に延設される突起部により、切断する必要のない物体の中から切断対象物を選り分ける又は手繰り寄せることができる。
この時、切断対象物を選り分ける又は手繰り寄せる際に、切断対象物や、切断する必要のない物体に刃部が触れる可能性を大幅に低減できる。
つまり、第１の発明を有しない刃部が切断対象物や、切断する必要のない物体に触れるとこれらが意図せず損傷するリスクが高まる。特に、切断する必要のない物体が電線等である場合は、外皮の損傷により漏電が起こる恐れがある。
したがって、第１の発明によれば、切断対象物が切断する必要のない物体の中に混ざり込んでいて、そこから切断対象物のみを選り分けて又は手繰り寄せて切断しようとする際に、切断する必要のない物体を刃部により損傷又は誤って切断してしまうリスクを大幅に低減することができる。
また、第１の発明によれば、切断対象物を刃部で実際に切断してしまう前に、一対の刃部とニッパー用カバーに設けられる突起部とからなる環構造内に切断対象物を一時的に分離（又は隔離）しておくことができる。
この場合、選り分けた又は手繰り寄せた切断対象物が、間違いなく目的とするものであるか否かの確認を容易にすることができる。さらに、環構造が形成されることで、選り分けた又は手繰り寄せた切断対象物を他の切断の必要がない物体から分離（又は隔離）しておく際に、切断対象物を刃部で軽く挟持しておく必要もなくなる。
つまり、第１の発明を備えない場合に同様の作業を行うと、ニッパーの刃部で選り分けた切断対象物を軽く挟持して保持しておくほかなく、この場合、最終確認が済んでいない切断対象物を誤って切断してしまう懸念があった。また、刃部で挟持される切断対象物が万一、本来切断する必要がない物体であった場合は、切断する必要がない物体を損傷又は誤って切断してしまうリスクが極めて高かった。
このように、第１の発明によれば、ニッパーを用いた切断作業時に、切断の必要がない物体を損傷してしまうのを好適に防止することができる。
【００１５】
第２の発明は、第１の発明と同じ効果に加えて、環構造の形成時に、一対の突起部が嵌合する又は重なり合う構造にすることで、環構造が解除される前にいわゆる「遊び」の状態を設けることができる。すなわち、ニッパーの把持部を開く動作を行っているにもかかわらず、所望の間、環構造が解除されないようにすることができる。
他方、環構造内に切断対象物を分離（又は隔離）した状態で、作業者が意図せずニッパーの把持部を開く動作を行った場合に、直ちに環構造が解消されてしまうと、一対の刃部の間に分離（又は隔離）しておいた切断対象物を刃部の間から取り逃がしてしまうリスクが高くなる。
そして、第２の発明によれば、環構造が解除される前に「遊び」を有していることで、把持部のわずかな操作で、刃部の間に一時的に保持した切断対象物を取り逃がしてしまうのを好適に抑制することができる。
したがって、第２の発明によれば、第１の発明の利便性を一層向上することができる。
【００１６】
第３の発明は、第１又は第２の発明であるニッパー用カバーを備えたニッパーであり、その効果は、第１又は第２の発明による効果と同じである。
【００１７】
第４の発明は、第３の発明による効果と同じ効果に加えて、ニッパーがその刃部の基部に光源を備えていることで、第４の発明の操作時に刃部の周囲を明るく照らし出すことができる。
これにより、暗所において第４の発明を使用する際の作業効率を向上することができる。
【図面の簡単な説明】
【００１８】
【図１】本実施の形態に係るニッパー用カバーおよびそれを備えたニッパーの部分拡大図である。
【図２】本実施の形態に係るニッパー用カバーおよびそれを備えたニッパーの使用状態を示す概念図である。
【図３】（ａ）本実施の形態に係るニッパー用カバーを備えたニッパーの平面図であり、（ｂ）本実施の形態に係るニッパー用カバーにより環構造が形成された状態を示す平面図である。
【図４】（ａ）〜（ｃ）はともに本実施の形態に係るニッパー用カバーを備えたニッパーの刃部の刃先側から見た図である。
【発明を実施するための形態】
【００１９】
本発明の実施の形態に係るニッパー用カバーおよびそれを備えてなるニッパーについて図１乃至図４を参照しながら詳細に説明する。
【００２０】
はじめに、図１，２を参照しながら本実施の形態に係るニッパー用カバーおよびそれを備えたニッパーの概要について説明する。
図１は本実施の形態に係るニッパー用カバーおよびそれを備えたニッパーの部分拡大図である。また、図２は本実施の形態に係るニッパー用カバーおよびそれを備えたニッパーの使用状態を示す概念図である。
図１に示すように、本実施の形態に係るニッパー用カバー３は、ニッパー１の対をなす刃部２，２のそれぞれの背面２ｂ，２ｂを被覆しながら刃部２に一体に又は着脱可能に設けられる断面コ字形のカバー本体３ａ，３ａと、刃部２，２の刃先２ａ側のカバー本体３ａに延設される突起部３ｂと、により構成されるものである。
また、上述のようなニッパー用カバー３を備えてなるものが本実施の形態に係るニッパー１である。
【００２１】
このような本実施の形態に係るニッパー用カバー３およびそれを備えたニッパー１によれば、図１，２に示すように、ニッパー１の刃部２の刃先２ａがカバー本体３ａにより被覆されているので、例えば、結束対象物８を緊縛する結束バンド７を切断する際に、刃部２の刃先２ａが切断対象である結束対象物８の周囲の物体に触れるのを防止することができ、これによりその損傷を確実に防止することができる（特に図２を参照）。
加えて、本実施の形態に係るニッパー用カバー３およびそれを備えたニッパー１によれば、その刃先２ａが絶縁物（ニッパー用カバー３）により被覆されることで、電力供給設備の補修に本実施の形態に係るニッパー用カバー３およびそれを備えたニッパー１を使用する際に、刃先２ａが作業領域の周辺にある充電部に誤って触れた場合でも、作業者が感電するリスクを大幅に軽減することができる。
【００２２】
また、図１に示すように、本実施の形態に係るニッパー用カバー３において、カバー本体３ａの刃先２ａ側に突設される突起部３ｂは、ニッパー用カバー３が刃部２に取設され刃部２，２を閉じた際に、互いに嵌合するよう構成されている。
つまり、ニッパー用カバー３，３のそれぞれの突起部３ｂは、それぞれの側面に段差３ｃを備えており、これにより、ニッパー１の刃部２，２の閉合動作に伴い、互いに対向して配される一対の突起部３ｂ，３ｂが接近していき、最終的には突起部３ｂ，３ｂは段差３ｃが形成される位置において噛み合うよう構成されている。この時、突起部３ｂ，３ｂは互いに当接しつつ重なり合う。
【００２３】
この点について図３，４を参照しながらより詳細に説明する。
図３（ａ）は本実施の形態に係るニッパー用カバーを備えたニッパーの平面図であり、図３（ｂ）は本実施の形態に係るニッパー用カバーにより環構造が形成された状態を示す平面図である。また、図４（ａ）〜（ｃ）はともに本実施の形態に係るニッパー用カバーを備えたニッパーの刃部の刃先側から見た図である。つまり、図４（ａ）〜（ｃ）はともに図３中の符号Ａで示す方向から見た矢視図である。なお、図１，図２に記載されたものと同一部分については同一符号を付し、その構成についての説明は省略する。
図３（ａ），図４（ａ）に示すように、ニッパー用カバー３を備えたニッパー１では、ニッパー用カバー３の突起部３ｂ，３ｂが互いに離間した時に、刃部２，２の間に切断対象物９を取り込むことができる。
そして、図３（ａ）に示す状態から刃部２，２を徐々に閉じていくと、刃部２，２が完全に閉じた（接触した）状態になる前に、ニッパー用カバー３の突起部３ｂ，３ｂにより刃部２の刃先２ａ［図１を参照］が閉じた状態になる。つまり、ニッパー１の刃部２とニッパー用カバー３（突起部３ｂ）とにより環構造が形成される［図３（ｂ），図４（ｂ）を参照］。
このとき、ニッパー用カバー３の突起部３ｂ同士は、その一部が互いに噛み合った状態になる［図４（ｂ）を参照］。あるいは、ニッパー用カバー３の突起部３ｂ同士は、その一部が互いに重なり合う［図４（ｂ）を参照］。なお、この環構造が形成されている状態は、ニッパー用カバー３の突起部３ｂ同士が完全に嵌合した状態［図４（ｃ）を参照］、又は、ニッパー用カバー３の突起部３ｂ同士が完全に重なり合った状態［図４（ｃ）を参照］ではない。
【００２４】
また、ここでいう「環構造」とは、ニッパー１を構成する一対の刃部２とニッパー用カバー３における突起部３ｂが連なって切れ目のない閉じた「環」を形成している状態を指し示している。
そして、図３（ｂ）に示すように、本実施の形態に係るニッパー１では、その刃部２，２と、ニッパー用カバー３の突起部３ｂとからなる環構造内に切断対象物９を収容することで、切断対象物９とそうでないものを一時的にニッパー用カバー３の突起部３ｂにより分離（又は隔離）しておくことができる。
そして、図４（ｃ）に示すように、本実施の形態に係るニッパー１の一対の刃部２をより近づけて双方を接触させることで、最終的には上述の環構造内に収容された切断対象物９を切断することができる。
【００２５】
また、本実施の形態に係るニッパー用カバー３では、突起部３ｂ同士は、互いに噛み合った状態、又は、互いに重なり合った状態を有するため、把持部６，６を開く動作をした際に環構造が直ちに解放状態になるのではなく、把持部６，６開く動作を所望量行った後に、初めて環構造が解消されて突起部３ｂ同士が開いた状態になる。つまり、本実施の形態に係るニッパー用カバー３及びそれを備えてなるニッパー１では、ニッパー用カバー３の突起部３ｂ，３ｂと対をなす刃部２とからなる環構造が解消されて突起部３ｂ同士が開いた状態になるまでの間に「遊び」を有している。
そして、このような「遊び」を有しない場合は、作業者が意図せず又は無意識のうちにわずかに把持部６，６を開く動作を行った際に、意図せず上述の環構造が解消されて突起部３ｂの先端が開いた（解放された）状態になり、意図せず切断対象物９の取りこぼしが起きてしまう。
これに対して、本実施の形態に係るニッパー用カバー３及びそれを備えてなるニッパー１によれば、環構造内に分離（又は隔離）しておいた切断対象物９を意図せず環構造の外に逃がしてしまうのを好適に防止できる。
したがって、本実施の形態に係るニッパー用カバー３及びそれを備えてなるニッパー１によれば、目的とする切断対象物９のみを確実にかつ効率よく切断することができる。
【００２６】
さらに、本実施の形態に係るニッパー用カバー３及びそれを備えてなるニッパー１では、突起部３ｂ，３ｂが完全に嵌合した状態、又は、突起部３ｂ，３ｂの重なり部の長さが最大になった場合に、一対の刃部２が閉じた（接触した）状態になり、この時、一対の刃部２による切断対象物９を切断することができるよう構成されている［図４（ｃ）を参照］。
つまり、ニッパー１の刃先２ａをわずかに開いた状態では、突起部３ｂ，３ｂと対をなす刃部２とにより環構造が形成されて、この環構造内に他の切断の必要のない物体から切断対象物９を分離（又は隔離）しておくことができ、この段階では環構造内に収容される切断対象物９は切断されていない。このように、本実施の形態に係るニッパー用カバー３及びそれを備えてなるニッパー１によれば、切断対象物９を他の切断の必要のない物体から分離（又は隔離）しておくために、一対の刃部２で、切断対象物９を挟持しておく必要がないのである。
したがって、本実施の形態に係るニッパー用カバー３及びそれを備えてなるニッパー１によれば、作業者は環構造内に分離（又は隔離）された切断対象物９を刃部２で傷付けないようにしながら、それが本当に切断すべきものであるか否かを再度確認することができる。
そして、環構造内に分離（又は隔離）したものが切断する必要のない物体であった場合は、切断作業を中断して環構造内の切断対象物９を一対の刃部２の間から解放すればよい。この場合、環構造内に分離（又は隔離）された切断する必要のない物体を無傷にしておくことができる。
他方、環構造内に分離（又は隔離）された切断対象物９に間違いがない場合、作業者は、この状態から対をなす刃部２同士の隙間を狭めていき、最終的に、対をなす刃部２同士を接触させて切断対象物９の切断を完了すればよい。
なお、環構造が形成されてから切断対象物９の切断が完了するまでの間、環構造は閉じたままであり、環構造が解消されることはないので、切断対象物９が固いものであっても、その切断時に一対の刃部２の間から切断対象物９が逃げてしまうことがない。
よって、本実施の形態に係るニッパー用カバー３及びそれを備えてなるニッパー１によれば、切断対象物９の切断のし損ない、又は、切断する必要のない物体を誤って切断する又は損傷させてしまうミスの発生を確実に減らすことができる。
このように、本実施の形態に係るニッパー用カバー３及びそれを備えてなるニッパー１を用いることで、切断対象物９の切断作業を正確かつ効率的に行うことができる。
【００２７】
また、本実施の形態に係るニッパー１によれば、例えば、切断対象物９が合成樹脂等の絶縁カバーを備える電線で、この切断対象物９が複数本の同様の電線の中に紛れている場合に、ニッパー用カバー３の突起部３ｂを用いて、複数の電線の中から目的とする切断対象物９を選り分けることができ、かつ、その際に刃部２の刃先２ａが選別対象に触れて選別対象が傷つくのを確実に防止することができる。
このように、本実施の形態に係るニッパー用カバー３及びそれを備えたニッパー１によれば、刃部２による切断作業時に、刃部２の刃先２ａによりその周囲の切断対象物９以外の物体が傷付くのを好適に防止することができる。
加えて、ニッパー用カバー３の突起部３ｂを用いて目的とする切断対象物９を刃部２や刃先２ａに触れさせることなく選り分けることができる。しかも、この場合、切断対象物９以外のものに刃部２やその刃先２ａが触れないので、その損傷も防止できる。
よって、本実施の形態に係るニッパー用カバー３及びそれを備えたニッパー１によれば、ニッパー１を用いる作業時に周囲の設備や、切断対象物９が含まれる選別対象物を意図せず刃部２の刃先２ａで傷つけてしまうのを防止することができる。
【００２８】
また、図１に示すように、本実施の形態に係るニッパー１は、刃部２の基部２ｄ近傍に光源４を備えていてもよい。この場合、刃部２による切断対象物９の切断時に、この光源４により刃部２の周囲を明るく照らすことができる。
なお、光源４の配線及び電源を、例えば、刃部２及びそれに延設される回動部５や把持部６に内蔵しておき、把持部６に光源４の点灯と消灯を切り替えるためのスイッチ（図示せず）を設けておいてもよい。
【００２９】
なお、本実施の形態に係るニッパー１では、刃部２の背面２ｂにニッパー用カバー３を一体に備えてもよいし、ニッパー用カバー３を刃部２に着脱可能に備えていてもよい。あるいは、刃部２にニッパー用カバー３を設けることに代えて、突起部３ｂを刃部２の刃先２ａに一体に形成してもよい。
さらに、本実施の形態では、対をなすカバー本体３ａ，３ａを別体により構成しているが、カバー本体３ａ，３ａの基部（突起部３ｂが形成されない側の端部）を刃部２への着脱に支障がない合成樹脂製の伸縮性を有するひも又はバンド状のパーツで連結して一体化してもよい（図示せず）。この場合、カバー本体３ａ，３ａの取り外し時の散逸を防止することができる。
【産業上の利用可能性】
【００３０】
以上説明したように本発明は、ニッパーによる切断作業時に、ニッパーの刃先が触れて切断対象物以外のものが傷つくのを防止でき、かつ、切断対象物のみを選んで効率よく切断することを可能にするニッパー用カバーおよびそれを備えてなるニッパーであり、手工具に関する技術分野において利用可能である。
【符号の説明】
【００３１】
１…ニッパー  ２…刃部  ２ａ…刃先  ２ｂ…背面  ２ｃ…刃面  ２ｄ…基部  ３…ニッパー用カバー  ３ａ…カバー本体  ３ｂ…突起部  ３ｃ…段差  ４…光源  ５…回動部  ６…把持部  ７…結束バンド  ８…結束対象物  ９…切断対象物
【図１】
2018064663.tif 000003
【図２】
2018064663.tif 000004
【図３】
2018064663.tif 000005
【図４】
2018064663.tif 000006